(57)【要約】【課題】ペダルから足が外れることなく、踵でペダルを踏み込むことができる運動療法装置を提供する。【解決手段】本体１と、一端部がこの本体１に設けられ、一端部を中心に所定の角度だけ回動可能なリンク２と、リンク２の他端部に所定の角度だけ回動可能に設けられ、利用者の足４の踏み込みによりリンク２を回動させるペダル３と、ペダル３に設けられ、足４を拘束する足拘束体５とを備え、足拘束体５は、足４の踵４ｂを支持する踵支持部６ａが設けられた基部５ｃを有し、踵支持部６ａは、足４の踏み込みの力の方向が回転軸３ａを通過するように、ペダル３上に配置されている。【選択図】図１
2008200484.tif 000002
【特許請求の範囲】
【請求項１】
本体と、
一端部が前記本体に回動可能に設けられたリンクと、
前記リンクの他端部に回転軸を介して回動可能に設けられ、利用者の足の踏み込みにより前記リンクを回動させるペダルと、
前記ペダル上に設けられ、前記足を拘束する足拘束体とを備え、
前記足拘束体は、前記足の踵を支持する踵支持部が設けられた基部を有し、
前記踵支持部は、前記足の踏み込みによる前記踵の底部を基点とする力の方向が前記回転軸を通過するように、前記ペダル上に配置可能であることを特徴とする運動療法装置。
【請求項２】
前記ペダルと前記足拘束体との間には、前記足拘束体を前記ペダルに着脱可能にする着脱手段が設けられていることを特徴とする請求項１に記載の運動療法装置。
【請求項３】
前記着脱手段は、前記ペダルに設けられた係止部と、前記基部の前記ペダルと対向する面に設けられ、前記係止部に係止される複数個の被係止部とを有していることを特徴とする請求項２に記載の運動療法装置。
【請求項４】
前記足拘束体は、さらに、前記基部とともに前記足の足首の周囲を囲む足首用バンドを有していることを特徴とする請求項１ないし請求項３の何れか１項に記載の運動療法装置。
【請求項５】
前記足拘束体は、さらに、前記踵支持部と一体に形成された、前記足の下腿部を支持する下腿支持部と、前記下腿支持部とともに前記下腿部の周囲を囲む下腿部用バンドとを有していることを特徴とする請求項１ないし請求項４の何れか１項に記載の運動療法装置。
【発明の詳細な説明】
【技術分野】
【０００１】
この発明は、回動可能なリンクの端部に回動可能に取付けられたペダルを備えた運動療法装置に関する。
【背景技術】
【０００２】
運動療法装置は、体力増強、健康促進および成人病予防のための運動を手軽に行える装置として、一般的に広く利用されている。また、故障中のスポーツ選手、整形外科手術後の患者および脳血管障害患者などが筋力回復、筋力増強および歩行訓練を目的とした運動療法にも利用されている。
従来、本体と、一端部が前記本体に回転可能に設けられたリンクと、このリンクの他端部に回転可能に設けられ、利用者の足の踏み込みにより前記リンクを回転させるペダルとを備えた運動療法装置が知られている（例えば、特許文献１参照）。
通常、人は、歩行している時に踵から着地するので、歩行訓練として運動療法装置を利用する場合には、踵でペダルを踏み込むことが必要である。
【０００３】
【特許文献１】特開２００６−１３７３９９号公報
【発明の開示】
【発明が解決しようとする課題】
【０００４】
しかしながら、このものの場合、踵でペダルを踏み込むと、踵がペダルに保持されていないので、ペダルから足が外れてしまう恐れがあるという問題点があった。
【０００５】
この発明は、上述のような問題点を解決することを課題とするものであって、その目的は、ペダルから足が外れることなく、踵でペダルを踏み込むことができる運動療法装置を提供するものである。
【課題を解決するための手段】
【０００６】
この発明に係る運動療法装置は、本体と、一端部が前記本体に回動可能に設けられたリンクと、前記リンクの他端部に回転軸を介して回動可能に設けられ、利用者の足の踏み込みにより前記リンクを回動させるペダルと、前記ペダル上に設けられ、前記足を拘束する足拘束体とを備え、前記足拘束体は、前記足の踵を支持する踵支持部が設けられた基部を有し、前記踵支持部は、前記足の踏み込みによる前記踵の底部を基点とする力の方向が前記回転軸を通過するように、前記ペダル上に配置可能である。
【発明の効果】
【０００７】
この発明に係る運動療法装置によれば、ペダルに設けられた足拘束体が足を拘束するので、ペダルから足が外れることを防止できる。また、足拘束体の踵支持部は、足の踏み込みによる踵の底部を基点とする力の方向がペダルの回転軸を通過するように、ペダル上に配置可能であるので、踵でペダルを踏み込むこともできる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係る運動療法装置の部分側面図である。
この実施の形態に係る運動療法装置は、本体１と、一端部がこの本体１に所定の角度だけ回動可能に設けられた棒状のリンク２と、このリンク２の他端部に回転軸３ａを介して所定の角度だけ回動可能に設けられた平板形状のペダル３と、このペダル３に設けられた、利用者の足４を拘束する足拘束体５とを備えている。
【０００９】
足拘束体５は、利用者の足４を支持する基部５ｃと、この基部５ｃとともに足４の足首４ａ付近の周囲を囲む足首用バンド５ａと、基部５ｃとともに足４のつま先４ｄ付近の周囲を囲むつま先用バンド５ｂとを有している。
基部５ｃ、足首用バンド５ａおよびつま先用バンド５ｂにより、足４の足首４ａより先端側が足拘束体５に拘束されるので、ペダル３から足４が外れることが抑制される。
したがって、利用者は、足４が足拘束体５に拘束された状態で、足関節の底屈運動または背屈運動を自由に行うことができる。
【００１０】
足拘束体５の基部５ｃは、利用者の足４の踵４ｂを支持する踵支持部６ａと、足４の土踏まず４ｃを支持する土踏まず支持部６ｂと、足４のつま先４ｄを支持するつま先支持部６ｃとを有している。
足拘束体５は、踵支持部６ａの直下にペダル３の回転軸３ａが配置されるように、ペダル３に固定されている。
これにより、足４の踏み込みによる踵４ｂの底部を基点とする力の方向がペダル３の回転軸３ａを通過するので、利用者は、踵４ｂでペダル３を踏み込むことができる。
【００１１】
利用者の足４の足首４ａより先端側が足拘束体５により拘束された状態で、利用者がペダル３を踏み込むと、この踏み込み力により、リンク２が一方向に回動する。
このとき、利用者の踏み込む力の方向は、ペダル３の回転軸３ａを通過する。
利用者の足４の足関節は底屈運動または背屈運動が可能であるので、利用者は、ペダル３を踏み込むときに、足関節の回動角度を固定するように力を入れなければならない。
【００１２】
この実施の形態に係る運動療法装置によれば、踵支持部６ａの直下にペダル３の回転軸３ａが配置されるようにして、足４を拘束する足拘束体５がペダル３に固定されているので、ペダル３から足４が外れることなく、踵４ｂでペダル３を踏み込むことができる。その結果、歩行訓練が必要な利用者が、歩行に必要とされる、踵４ｂから踏み込む感覚を捉えやすくすることができる。
【００１３】
また、足拘束体５は、基部５ｃ、足首用バンド５ａおよびつま先用バンド５ｂを有し、利用者の足４の足首４ａより先端側を拘束するので、利用者の足関節は底屈運動または背屈運動が可能となり、利用者は、ペダル３を踏み込むときに足関節の回動角度を固定するように力を入れなければならず、足関節周辺の筋力訓練を行うことができる。
【００１４】
実施の形態２．
図２はこの実施の形態に係る運動療法装置の部分側面図、図３はペダル３の凹部３ｂおよび足拘束体５の凸部５ｆを示す側面図であり、特開平５−１３１９６８号公報の図２に基づいている。
ペダル３には、足拘束体５を係止する係止部である凹部３ｂが設けられている。
基部５ｃのペダル３と対向する面には、ペダル３の凹部３ｂにより嵌着される被係止部である凸部５ｆが、踵支持部６ａ、土踏まず支持部６ｂおよびつま先支持部６ｃの三箇所に設けられている。
足拘束体５をペダル３に着脱可能にする着脱手段は、ペダル３の凹部３ｂと基部５ｃの凸部５ｆとから構成されている。
これにより、足４を拘束する必要のない場合には、ペダル３から足拘束体５を取り外すことができる。
また、土踏まず４ｃ付近でペダル３を踏み込む場合には、土踏まず支持部６ｂの凸部５ｆをペダル３の凹部３ｂに嵌着させて、土踏まず支持部６ｂの直下にペダル３を配置することができる。その結果、土踏まず４ｃでペダル３を踏み込む運動を行うことができる。
さらに、つま先４ｄ付近でペダル３を踏み込む場合には、つま先支持部６ｃの凸部５ｆをペダル３の凹部３ｂに嵌着させて、つま先支持部６ｃの直下にペダル３を配置することができる。その結果、つま先４ｄでペダル３を踏み込む運動を行うことができ、足関節周辺の筋力訓練の効果を高めることができる。
その他の構成は、実施の形態１と同様である。
【００１５】
この実施の形態に係る運動療法装置によれば、足拘束体５は、ペダル３に対して着脱可能であるので、足拘束体５をペダル３から取り外すことで、例えば、足４の土踏まず４ｃでペダル３を踏み込みたい利用者も、ペダル３を直接踏み込んで運動療法装置を使用することができる。
【００１６】
また、ペダル３には凹部３ｂが設けられ、基部５ｃには、ペダル３の凹部３ｂに嵌着する凸部５ｆが踵支持部６ａ、土踏まず支持部６ｂおよびつま先支持部６ｃの三箇所に設けられているので、利用者は、例えば、土踏まず４ｃでペダル３を踏み込むことができ、また、つま先４ｄでペダル３を踏み込むことができる。
【００１７】
実施の形態３．
図４は実施の形態３に係るに運動療法装置の部分側面図である。
この実施の形態に係る運動療法装置は、足拘束体５が、利用者の足４の下腿部４ｅを支持する下腿支持部５ｄと、この下腿支持部５ｄとともに下腿部４ｅの周囲を囲む下腿部用バンド５ｅとをさらに有している。
下腿支持部５ｄと下腿部用バンド５ｅとにより、下腿部４ｅが拘束される。
この下腿支持部５ｄは、基部５ｃと一体に形成されており、下腿支持部５ｄと下腿部用バンド５ｅとが下腿部４ｅを拘束すると、利用者の足４の足関節は所定の角度に固定される。
その他の構成は、実施の形態１と同様である。
なお、実施の形態２に係る運動療法装置のように、足拘束体５とペダル３とを着脱可能にしてもよい。この場合、利用者の筋力回復の度合いに合わせて、実施の形態２に係る運動療法装置の足拘束体５と実施の形態３に係る運動療法装置の足拘束体５とが選択されるものであってもよい。
【００１８】
利用者の足４が足拘束体５により拘束された状態で、利用者がペダル３を踏み込むと、この踏み込み力により、リンク２が一方向に回動する。
このとき、利用者の足４の足関節は、所定の角度に固定されているので、利用者は、足関節の回動角度を自らの力で固定する必要がない。
これにより、例えば、利用者が筋力回復前で足関節を適切に固定することができない場合であっても、利用者は、ペダル３を踏み込んで、リンク２を一方向に回動させることができる。
【００１９】
この実施の形態に係る運動療法装置によれば、足拘束体５は、利用者の足４の下腿部４ｅを支持する下腿支持部５ｄと、この下腿支持部５ｄとともに下腿部４ｅの周囲を囲む下腿部用バンド５ｅとをさらに有しているので、例えば、利用者が自らの力で足関節を固定することができない場合であっても、利用者は、ペダル３を踏み込んで、リンク２を一方向に回動させることができる。
【００２０】
なお、上記実施の形態２では、ペダル３に凹部３ｂが設けられ、基部５ｃにペダル３の凹部３ｂと嵌着する凸部５ｆが設けられた運動療法装置について説明したが、勿論このものに限らず、ペダル３に凸部が設けられ、基部５ｃに凹部が設けられた運動療法装置であってもよい。また、例えば、ペダル３および基部５ｃの対向した両面に取付けられた面ファスナ等を着脱手段とした運動療法装置であってもよい。
【００２１】
また、上記各実施の形態では、所定の角度だけ回動可能なリンク２およびペダル３を備えた運動療法装置について説明したが、勿論このものに限らず、例えば、自転車のクランクおよびペダルのように、３６０度以上回動可能なリンク２およびペダル３を備えた運動療法装置であってもよい。
【図面の簡単な説明】
【００２２】
【図１】実施の形態１に係る運動療法装置の部分側面図である。
【図２】実施の形態２に係る運動療法装置の部分側面図である。
【図３】ペダルの凹部および足拘束体の凸部を示す側面図である。
【図４】実施の形態３に係る運動療法装置の部分側面図である。
【符号の説明】
【００２３】
１  本体、２  リンク、３  ペダル、３ａ  回転軸、３ｂ  凹部、４  足、４ａ  足首、４ｂ  踵、４ｃ  土踏まず、４ｄ  つま先、４ｅ  下腿部、５  足拘束体、５ａ  足首用バンド、５ｂ  つま先用バンド、５ｃ  基部、５ｄ  下腿支持部、５ｅ  下腿部用バンド、５ｆ  凸部、６ａ  踵支持部、６ｂ  土踏まず支持部、６ｃ  つま先支持部。
【図１】
2008200484.tif 000003
【図２】
2008200484.tif 000004
【図３】
2008200484.tif 000005
【図４】
2008200484.tif 000006